(57)【要約】【課題】病棟で使用する品目の発注の過多・過少の防止と発注漏れを効率的に防止すること。【解決手段】手術術後患者の術式および経過日数を含む患者情報を取得して、患者情報ＤＢ４０２に記憶する患者情報取得部４０１と、患者情報に基づいて、術式および経過日数に対応して手術術後患者に必要な品目および当該品目の数量に関する情報が登録された必要発注品目マスタ１３０を参照して、発注品目および当該発注品目の数量を特定する品目情報特定部４０３と、発注品目および当該発注品目の数量に関する品目情報を発注品目情報ＤＢ４０５に記憶するとともに、表示部４０６の発注画面に表示する品目情報登録部４０４と、発注画面に表示され発注品目情報ＤＢ４０５に記憶された品目情報対する所定の発注先への発注指示を受け付ける発注指示受付部４０８と、発注指示に応じて所定の発注先への発注処理を実行する発注処理実行部４０９と、を備える。【選択図】図４
2008152716.tif 000002
【特許請求の範囲】
【請求項１】
表示手段を備え、当該表示手段に表示された発注画面に医療材料、薬品、消耗品などの品目および当該品目の数量を入力して発注指示することによって、当該品目を所定の発注先へ発注する品目発注装置に用いる品目発注プログラムであって、
手術術後患者の術式および経過日数を含む患者情報を取得して、所定の記憶領域に記憶する患者情報取得工程と、
前記患者情報取得工程によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定工程と、
前記特定工程によって特定された発注品目および当該発注品目の数量に関する品目情報を所定の記憶領域に記憶するとともに、当該発注品目および当該発注品目の数量を前記発注画面に表示する品目情報登録工程と、
前記品目情報登録工程によって前記発注画面に表示され前記所定の記憶領域に記憶された品目情報に対する前記所定の発注先への発注指示を受け付ける発注指示受付工程と、
前記発注指示受付工程によって受け付けられた発注指示に応じて前記所定の発注先への発注処理を実行する発注処理実行工程と、
を前記品目発注装置に実行させることを特徴とする品目発注プログラム。
【請求項２】
さらに、前記品目情報登録工程によって前記発注画面に表示され前記所定の記憶領域に記憶された品目情報の修正指示を受け付ける修正指示受付工程を実行させることを特徴とする請求項１に記載の品目発注プログラム。
【請求項３】
前記品目情報登録工程は、当該発注品目および当該発注品目の数量を前記発注画面に表示する際、各品目を使用する患者に関する情報を表示することを特徴とする請求項１または２に記載の品目発注プログラム。
【請求項４】
前記必要発注品目マスタは、手術術後患者の年齢、性別、病名、術式、経過日数ごとに発注する必要がある品目について登録されていることを特徴とする請求項１〜３のいずれか一つに記載の品目発注プログラム。
【請求項５】
表示手段を備え、当該表示手段に表示された発注画面に医療材料、薬品、消耗品などの品目および当該品目の数量を入力して発注指示することによって、当該品目を所定の発注先へ発注する品目発注装置であって、
手術術後患者の術式および経過日数を含む患者情報を取得して、所定の記憶領域に記憶する患者情報取得手段と、
前記患者情報取得手段によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定手段と、
前記特定手段によって特定された発注品目および当該発注品目の数量に関する品目情報を所定の記憶領域に記憶するとともに、当該発注品目および当該発注品目の数量を前記発注画面に表示する品目情報登録手段と、
前記品目情報登録手段によって前記発注画面に表示され前記所定の記憶領域に記憶された品目情報に対する前記所定の発注先への発注指示を受け付ける発注指示受付手段と、
前記発注指示受付手段によって受け付けられた発注指示に応じて前記所定の発注先への発注処理を実行する発注処理実行手段と、
を備えたことを特徴とする品目発注装置。
【請求項６】
表示手段を備え、当該表示手段に表示された発注画面に医療材料、薬品、消耗品などの品目および当該品目の数量を入力して発注指示することによって、当該品目を所定の発注先へ発注する品目発注装置の品目発注方法であって、
手術術後患者の術式および経過日数を含む患者情報を取得して、所定の記憶領域に記憶する患者情報取得工程と、
前記患者情報取得工程によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定工程と、
前記特定工程によって特定された発注品目および当該発注品目の数量に関する品目情報を所定の記憶領域に記憶するとともに、当該発注品目および当該発注品目の数量を前記発注画面に表示する品目情報登録工程と、
前記品目情報登録工程によって前記発注画面に表示され前記所定の記憶領域に記憶された品目情報に対する前記所定の発注先への発注指示を受け付ける発注指示受付工程と、
前記発注指示受付工程によって受け付けられた発注指示に応じて前記所定の発注先への発注処理を実行する発注処理実行工程と、
を含んだことを特徴とする品目発注方法。
【発明の詳細な説明】
【技術分野】
【０００１】
この発明は、表示手段を備え、当該表示手段に表示された発注画面に医療材料、薬品、消耗品などの品目および当該品目の数量を入力して発注指示することによって、当該品目を所定の発注先へ発注する品目発注プログラム、品目発注装置および品目発注方法に関する。
【背景技術】
【０００２】
従来から、病棟・外来からの医療材料、薬品、消耗品などの品目の発注において、医師・看護師の経験値による発注をおこなう方式と、病棟定数配置品目の定数補充または定量補充方式の２通りにておこなわれていた。
【０００３】
また、従来技術として、各手術に必要な医療品の取揃えを簡単に且つ確実におこない、手術別に使用・消費した医療品の種類と数量を正確に且つ迅速に求めて確実に記録し、正確に且つ確実に且つ迅速に、手術別の手術実績の記録、手術別に使用した医療品の医療保険請求、種類別の医療品の在庫管理を可能にする、オペ支援記録システムを提供するために、収納管理装置のコンピュータが、収納管理装置から取出されて各手術で消費した医療品の種類と数量に関する消費医療品情報を作成して手術別実績記録装置に出力し、手術別実績記録装置では、収納管理装置から受信した消費医療品情報に基づいて、手術別に消費した医療品の種類と数量の情報を含む手術別医療品消費実績情報を作成し記憶する技術が存在する（たとえば、下記特許文献１参照。）。
【０００４】
【特許文献１】特開２００６−１４９９５６号公報
【発明の開示】
【発明が解決しようとする課題】
【０００５】
しかしながら、従来の方法では、たとえば経験値に頼る場合には、発注担当者ごとの経験値に差があるため、発注品目と数量にバラつきが発生し、発注数量の過多・過少が頻発するという問題点があった。また、定数(定量)補充方式の場合には、定数配置されていない品目に関しては、必要発注品目の発注漏れが発生するという問題点があった。そこで、病棟の入院患者の中でも術後患者に着目し、経験値や定数に頼るのではなく、術後経過日数ごとに一般的に必要となる品目の発注サポートが求められていた。
【０００６】
また、上記特許文献１にかかる従来技術にあっては、手術に必要な医療品の取揃えに関してのみが記載されており、術後の品目については考慮されていないので、依然として冒頭における発注数量の過多・過少が頻発するという問題点は解消されない。
【０００７】
この発明は、上述した従来技術による問題点を解消するため、病棟で使用する品目の発注の過多・過少の防止と発注漏れを効率的に防止することができる品目発注プログラム、品目発注装置および品目発注方法を提供することを目的とする。
【課題を解決するための手段】
【０００８】
上述した課題を解決し、目的を達成するため、この発明にかかる品目発注プログラム、品目発注装置および品目発注方法は、表示手段を備え、当該表示手段に表示された発注画面に医療材料、薬品、消耗品などの品目および当該品目の数量を入力して発注指示することによって、当該品目を所定の発注先へ発注するこの発明にかかる品目発注プログラム、品目発注装置および品目発注方法であって、手術術後患者の術式および経過日数を含む患者情報を取得して、所定の記憶領域に記憶し、取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定し、特定された発注品目および当該発注品目の数量に関する品目情報を所定の記憶領域に記憶するとともに、当該発注品目および当該発注品目の数量を前記発注画面に表示し、前記発注画面に表示され前記所定の記憶領域に記憶された品目情報に対する前記所定の発注先への発注指示を受け付け、受け付けられた発注指示に応じて前記所定の発注先への発注処理を実行することを特徴とする。
【０００９】
また、この発明にかかる品目発注プログラム、品目発注装置および品目発注方法は、前記発注画面に表示され前記所定の記憶領域に記憶された品目情報の修正指示を受け付けるようにしてもよい。
【００１０】
また、この発明にかかる品目発注プログラム、品目発注装置および品目発注方法は、当該発注品目および当該発注品目の数量を前記発注画面に表示する際、各品目を使用する患者に関する情報を表示するようにしてもよい。
【００１１】
また、この発明にかかる品目発注プログラム、品目発注装置および品目発注方法は、前記必要発注品目マスタが、手術術後患者の年齢、性別、病名、術式、経過日数ごとに発注する必要がある品目について登録されているようにしてもよい。
【発明の効果】
【００１２】
本発明によれば、術後経過日数ごとに一般的に必要となる品目の発注サポートをおこなうことで、発注の過多・過少の防止と発注漏れを防止することができる品目発注プログラム、品目発注装置および品目発注方法が得られるという効果を奏する。
【発明を実施するための最良の形態】
【００１３】
以下に添付図面を参照して、この発明による品目発注プログラム、品目発注装置および品目発注方法の実施の形態を詳細に説明する。
【００１４】
（システム構成）
図１は、この発明の実施の形態にかかる品目発注装置を含む全体システム構成を示す説明図である。図１において、全体システムは、たとえば、一つの病院において、一つまたは複数の病棟１００（１００ａ，１００ｂ，１００ｃ）のシステムと払出倉庫１１０のシステムとがネットワーク１４０にて接続されている。また、払出倉庫１１０は、品目の納入業者のシステム（業者１２０（１２０ａ，１２０ｂ））と接続されている。
【００１５】
さらに、後述する必要発注品目マスタ１３０がネットワーク１４０に接続されている。なお、必要発注品目マスタ１３０は、病棟１００ごとの品目発注装置１０１内にそれぞれ別個に設けられていてもよい（この場合には、各必要発注品目マスタ１３０の内容の一致性を確保する必要がある）。
【００１６】
各病棟１００においては、それぞれ、術後患者１０２が入院しており、また、医師・看護師１０３が常駐している。また、各病棟１００には、医師・看護師１０３が操作をおこなう品目発注装置１０１が備えられている（なお、図１において、病棟１００ｂ，１００ｃについての詳細は、図示を省略しているが、１００ａと同様の構成である）。品目発注装置１０１は、後述する図４に示すように表示部４０６を備え、表示部４０６に表示された発注画面（具体的には、たとえば後述する図７，図１３の符号７００）に医療材料、薬品、消耗品などの品目およびその品目の数量を入力して発注指示することによって、品目を所定の発注先である払出倉庫１１０または払出倉庫１１０を経由して業者１２０へ発注する。なお、各病棟１００の品目発注装置１０１から、直接、業者１２０へ品目を発注することも可能である。
【００１７】
そして、これらの病棟１００、払出倉庫（物品倉庫、薬品倉庫などであってもよい）１１０および必要発注品目マスタ１３０は、それぞれＬＡＮ、ＷＡＮやインターネットなどのネットワーク１４０によって接続されている。
【００１８】
図２は、この発明の実施の形態にかかる品目発注装置の外観を示す説明図である。図２において、品目発注装置１０１は、コンピュータ本体２１０と、入力装置２２０と、出力装置２３０と、から構成されており、図示を省略するルータやモデムを介してＬＡＮ，ＷＡＮやインターネットなどのネットワーク１４０に接続可能である。
【００１９】
コンピュータ本体２１０は、ＣＰＵ，メモリ，インターフェースを有する。ＣＰＵは、品目発注装置１０１の全体の制御を司る。メモリは、ＲＯＭ，ＲＡＭ，ＨＤ，光ディスク２２１，フラッシュメモリから構成される。メモリはＣＰＵのワークエリアとして使用される。
【００２０】
また、メモリには各種プログラムが格納されており、ＣＰＵからの命令に応じてロードされる。ＨＤおよび光ディスク２２１はディスクドライブによりデータのリード／ライトが制御される。また、光ディスク２２１およびフラッシュメモリはコンピュータ本体２１０に対し着脱自在である。インターフェースは、入力装置２２０からの入力、出力装置２３０への出力、ネットワーク１４０に対する送受信の制御をおこなう。
【００２１】
また、入力装置２２０としては、キーボード２２１、マウス２２２、スキャナ２２３などがある。キーボード２２１は、文字、数字、各種指示などの入力のためのキーを備え、データの入力をおこなう。また、タッチパネル式であってもよい。マウス２２２は、カーソルの移動や範囲選択、あるいはウィンドウの移動やサイズの変更などをおこなう。スキャナ２２３は、画像を光学的に読み取る。読み取られた画像は画像データとして取り込まれ、コンピュータ本体２１０内のメモリに格納される。なお、スキャナ２２３にＯＣＲ機能を持たせてもよい。
【００２２】
また、出力装置２３０としては、ディスプレイ２３１、プリンタ２３２、スピーカ２３３などがある。ディスプレイ２３１は、カーソル、アイコンあるいはツールボックスをはじめ、文書、画像、機能情報などのデータを表示する。また、プリンタ２３２は、画像データや文書データを印刷する。またスピーカ２３３は、効果音や読み上げ音などの音声を出力する。
【００２３】
（必要発注品目マスタ１３０）
図３は、図１に示した必要発注品目マスタ１３０の内容を示す説明図である。図３において、必要発注品目マスタ１３０は、患者の「性別」項目、患者の「年齢」項目、「病名」項目、「術式」項目、手術日からの「経過日数」項目、当該患者に必要な「品目」項目、その品目の「数量」項目の各項目に関する情報が登録されている。
【００２４】
性別、年齢、病名、術式および経過日数ごとに必要となる品目の品名およびその品目の数量がそれぞれ登録されている。すなわち、同じ病名・術式であっても、性別や年齢によって必要品目をそれぞれ登録してある。また、同じ、性別、年齢、病名、術式であっても、経過日数によって異なる必要品目とその数量をそれぞれ登録してある。このようにすることによって、術後患者の性別、年齢、術式および経過日数がわかれば、その患者に必要な品目および数量を日単位で認識することができる。このように、必要発注品目マスタ１３０には、手術術後患者の年齢、性別、病名、術式、経過日数ごとに発注する必要がある品目について登録されている。
【００２５】
（機能的構成）
図４は、この発明の実施の形態にかかる品目発注装置の機能的構成を示す説明図である。図４において、品目発注装置１０１は、患者情報取得部４０１と、患者情報ＤＢ４０２と、品目情報特定部４０３と、品目情報登録部４０４と、発注品目情報ＤＢ４０５と、表示部４０６と、修正指示受付部４０７と、発注指示受付部４０８と、発注処理実行部４０９と、を含む構成となっている。
【００２６】
患者情報取得部４０１は、手術術後患者の術式および経過日数を含む患者情報を取得して、所定の記憶領域（具体的には、たとえば患者情報ＤＢ４０２）に記憶する。患者情報取得部４０１は、具体的には、たとえば図２に示したコンピュータ本体２１０が備える図示を省略するＣＰＵが、同様にコンピュータ本体２１０が備える図示を省略するメモリに記憶されたプログラムを実行することによってその機能を実現することができる。
【００２７】
図５は、患者情報ＤＢ４０２の内容を示す説明図である。図５において、患者情報ＤＢ４０２には、「患者ＩＤ」項目、患者の「氏名」項目、患者の「性別」項目、患者の「年齢」項目、患者の「病名」項目、患者の「術式」項目、その手術日からの「経過日数」項目の各項目に関する情報が患者情報として記憶される。患者情報ＤＢ４０２は、具体的には、たとえば品目発注装置１０１に内蔵されたメモリなどによってその機能を実現する。
【００２８】
患者情報の取得は、具体的には、たとえば別途備えている電子カルテシステムなど患者情報を登録している別システムから受信することによって取得することができる。また、医師・看護師１０３が図２に示した入力装置２２０を用いて入力するようにしてもよい。また、両者を併用するようにしてもよい。
【００２９】
品目情報特定部４０３は、患者情報取得部４０１によって取得され所定の記憶領域である患者情報ＤＢ４０２に記憶された患者情報を読み出して、読み出された患者情報に基づいて、所定の記憶領域（具体的には、たとえば全体システムのネットワーク１４０によって接続されたメモリ、あるいは品目発注装置１０１に内蔵されたメモリなど）に記憶された、術式および経過日数に対応して前記手術術後患者に必要な品目および当該品目の数量に関する情報が登録された必要発注品目マスタ（具体的には、たとえば必要発注品目マスタ１３０）を参照して、発注品目および当該発注品目の数量を特定する。
【００３０】
具体的には、たとえば図５に示した患者情報ＤＢ４２０のリストの一番上の「患者Ａ（患者ＩＤ：１２３４５６７８９０）」は、性別が「女」、年齢が「１９（歳）」、病名が「急性虫垂炎」、術式が「虫垂切除」、経過日数が「１（日）」であることが患者情報ＤＢ４０２からわかるので、それらの項目が合致する情報を図３に示した必要発注品目マスタ１３０から抽出する。そして抽出された情報の中から、「品名」項目の情報および「数量」項目の情報（具体的には、たとえば後述する図１１に示す術後患者必要品目リスト１１００、図１２に示す患者別品目内訳リスト１２００などの情報）を抽出する。
【００３１】
品目情報特定部４０３は、具体的には、たとえば図２に示したコンピュータ本体２１０が備える図示を省略するＣＰＵが、同様にコンピュータ本体２１０が備える図示を省略するメモリに記憶されたプログラムを実行することによってその機能を実現することができる。
【００３２】
品目情報登録部４０４は、品目情報特定部４０３によって特定された発注品目および当該発注品目の数量に関する品目情報（具体的には、たとえば後述する図１１に示す術後患者必要品目リスト１１００）を所定の記憶領域（具体的には、発注品目情報ＤＢ４０５など）に記憶するとともに、当該発注品目および当該発注品目の数量を表示部４０６に表示された発注画面（具体的には、たとえば後述する図７，図１３の符号７００）に表示する。また、当該発注品目および当該発注品目の数量を発注画面に表示する際、各品目を使用する患者に関する情報（具体的には、たとえば後述する図１２に示す患者別品目内訳リスト１２００などの情報）を表示するようにしてもよい（具体的には、たとえば後述する図１３に示す発注画面７００の「コメント」項目１３０１など）。
【００３３】
発注品目情報ＤＢ４０５は、品目情報特定部４０３によって特定された発注品目および当該発注品目の数量に関する品目情報を記憶する。発注品目情報ＤＢ４０５、具体的には、たとえば品目発注装置１０１に内蔵されたメモリなどによってその機能を実現する。また、表示部４０６は、具体的には、たとえば図２に示したディスプレイ２３１、およびコンピュータ本体２１０が備える図示を省略するＣＰＵが、同様にコンピュータ本体２１０が備える図示を省略するメモリに記憶されたプログラムを実行することによってその機能を実現することができる。
【００３４】
修正指示受付部４０７は、品目情報登録部４０４によって発注画面（具体的には、たとえば図１３に示す発注画面７００など）に表示され所定の記憶領域（具体的には、たとえば発注品目情報ＤＢ４０５など）に記憶された品目情報の修正指示を受け付ける。修正の指示には、たとえばあらたな品目の追加、すでに表示されている品目の削除、すでに表示されている品目から別の品目へ変更および表示されている品目の数量の変更などがある。修正指示受付部４０７は、具体的には、たとえば入力装置２２０（キーボード２２１、マウス２２２、スキャナ２２３など）によってその機能を実現する。
【００３５】
発注指示受付部４０８は、品目情報登録部４０４によって発注画面（具体的には、たとえば図１３に示す発注画面７００など）に表示され所定の記憶領域（具体的には、たとえば発注品目情報ＤＢ４０５など）に記憶された品目情報に対する所定の発注先（具体的には、たとえば払出倉庫１１０）への発注指示を受け付ける。具体的には、たとえば図１３の発注画面７００の右下側の「登録」ボタン１３０２がクリックされることによって発注指示が受け付けられる。
【００３６】
このようにして、発注指示受付部４０８は、表示部４０６に表示された発注画面に医療材料、薬品、消耗品などの品目および当該品目の数量を入力して発注指示することによって、当該品目を所定の発注先へ発注する発注指示受付部４０８は、具体的には、たとえば入力装置２２０（キーボード２２１、マウス２２２など、さらに図示を省略する、ディスプレイの表面に直接触れることで発注指示の入力をおこなうタッチパネルなども含む）によってその機能を実現する。
【００３７】
発注処理実行部４０９は、発注指示受付部４０８によって受け付けられた発注指示に応じて所定の発注先（具体的には、たとえば払出倉庫１１０）への発注処理を実行する。具体的には、発注品目情報ＤＢ４０５に記憶されている発注品目情報を読み出して、読み出された発注品目情報を含む発注要求情報を払出倉庫１１０へ送信する。発注処理実行部４０９は、具体的には、たとえば図２に示したインターフェース、およびコンピュータ本体２１０が備える図示を省略するＣＰＵが、同様にコンピュータ本体２１０が備える図示を省略するメモリに記憶されたプログラムを実行することによってその機能を実現することができる。
【００３８】
（品目発注の処理手順）
図６は、品目発注の一連の処理手順の一例を示すフローチャートである。図６のフローチャートにおいて、品目を発注する際に、まず、発注画面（具体的には図７に示す発注画面７００など）を起動する（ステップＳ６０１）。
【００３９】
つぎに、発注画面７００に対する発注入力処理をおこなう（ステップＳ６０２）。発注入力処理の具体的な内容については、後述する図８のフローチャートで説明する。その後、発注処理を実行し（ステップＳ６０３）、一連の処理を終了する。
【００４０】
図７は、発注画面の一例を示す説明図である。図７において、発注画面７００には、上側に、「発注部署」、「発注部屋」、「発注日付」、「発注担当」のほか、定期発注か否かおよび「入力方法」７０１の各種入力・表示欄を表示している。また、その近傍には「展開」ボタン７０２を表示している。また、発注画面７００のうち、中央の大部分を占めるのが品目入力欄であり、医師・看護師１０３が入力装置２２０を用いて直接入力することができる。さらに、下側に録各種ボタンを表示している。
【００４１】
図８は、発注画面を用いた品目発注の入力処理の手順の一例を示すフローチャートである。図８のフローチャートにおいて、まず、図７に示す発注画面７００のうちの、「入力方法」７０１から「術後品目発注」の選択を受ける（ステップＳ８０１）。その後、「展開」ボタン７０２がクリック（ステップＳ８０２）されるのを検知すると、術後患者情報の取得（分析）処理をおこなう（ステップＳ８０３）。術後患者情報の取得（分析）処理については、後述する図９のフローチャートを用いて詳細に説明する。
【００４２】
つぎに、マッチング処理をおこなう（ステップＳ８０４）。マッチング処理については、後述する図１０のフローチャートを用いて詳細に説明する。その後、後述する図１３に示すように、発注品目に関する情報を表示した状態で、発注品目・数量の修正指示を受け付ける（ステップＳ８０５）。そして、図１３の発注画面７００の右下側に示す「登録」ボタン１３０２がクリック（ステップＳ８０６）されるの検知し、検知したことで、一連の処理を終了する。このように、画面展開したものを医師・看護師１０３に確認させて、数量の調整などをおこなわせ、そのまま発注に振り替えることができる。
【００４３】
図９は、術後患者情報取得（分析）処理の手順の一例を示すフローチャートである。図９のフローチャートにおいて、まず、術後患者の性別・年齢・病名・術式・経過日数に関する情報を取得する（ステップＳ９０１）。ここで、場合によっては、情報が正しく分類されていない場合などがあるため、必要に応じて取得した患者ごとの各情報を分析し、上記各項目に対応するように調整する。
【００４４】
そして、ステップＳ９０１において取得し分析した術後患者情報を，患者情報ＤＢ４０２に順次登録（記憶）する（ステップＳ９０２）。また、患者情報ＤＢ４０２に登録された情報のうち、退院などによって入院状態でなくなった患者の情報は削除するか以下の工程で参照されないように所定のフラグなどを立てて区別する。これによって、術後患者情報取得（分析）処理を終了する。
【００４５】
図１０は、マッチング処理の手順の一例を示すフローチャートである。図１０のフローチャートにおいて、患者情報ＤＢ４０２を参照して、術後患者が存在するか否かを判断する（ステップＳ１００１）。ここで、術後患者が存在しない場合（ステップＳ１００１：Ｎｏ）は、何もせずに、マッチング処理を終了する。
【００４６】
一方、ステップＳ１００１において、術後患者が存在する場合（ステップＳ１００１：Ｙｅｓ）は、患者情報ＤＢ４０２と、必要発注品目マスタ１３０とを経過日数ごとに突き合わせる（ステップＳ１００２）。これは、患者情報ＤＢ４０２に登録されている患者ごとにそれぞれおこなう。
【００４７】
このようにして突き合わせた結果、一致した情報の品名および数量を集計して、たとえば図１１に示す術後患者必要品目リスト（画面）１１００を展開する（ステップＳ１００３）。図１１は、術後患者必要品目リスト画面の一例を示す説明図である。図１１において、術後患者必要品目リスト（画面）１１００は、品目の「コード」項目、「品目／規格」項目、「数量」項目、「単位」項目の各項目に関する情報からなる。このように、必要発注品目マスタ１３０と入院患者分析結果をマッチングして、必要品目の数量を算出する。さらに、下側には、「詳細」ボタン１１０１、「ＯＫ」ボタン１１０２などの各種ボタンを表示している。
【００４８】
ここで、表示しているいずれかの品目が選択された状態で「詳細」ボタン１１０１が押下された場合は、図１２に示すように、当該選択されていた品目についての患者別品目内訳リスト（画面）１２００を表示する。図１２は、患者別品目内訳リスト画面の一例を示す説明図である。図１２では、図１１の一番上に表示された品名「フォーリーカテーテル１４Ｆｒ（コード：１２３４５６７８）」についての患者ごとの内訳を表示している。
【００４９】
この品目は合計３本であったところ、患者Ａ、患者Ｂ、患者Ｃがそれぞれ１本ずつ使用する必要があることを容易に認識させることができる。このように、術後患者必要品目リストの１品目ごとに、どの患者への使用分であるかを表示して容易に認識されることができる。そして、患者別品目内訳リスト（画面）１２００の右下側には、「ＯＫ」ボタン１２０１を表示しており、この「ＯＫ」ボタン１２０１がクリックされるのを検知すると、患者別品目内訳リスト（画面）１２００を閉じる、あるいは閉じて図１１の術後患者必要品目リスト（画面）１１００に戻る。
【００５０】
そして、図１１に示した術後患者必要品目リスト（画面）１１００において、「ＯＫ」ボタン１１０２がクリック（ステップＳ１００４）されるのを検知すると、術後患者必要品目リスト（画面）１１００に表示されていた品目リストの情報を発注画面７００に展開する（ステップＳ１００５）。図１３は、品目リストの情報を発注画面７００に展開した状態を示している。
【００５１】
図１３の発注画面７００において、「コメント」項目１３０１には、図１２に示した患者別品目内訳リストの内容を反映している。これによって、品目ごとに使用する患者を容易に目視させることができるため、発注入力の漏れを未然に防止することができる。これによって、一連の処理を終了する。
【００５２】
以上説明したように、本実施の形態では、表示部４０６を備え、表示部４０６に表示された発注画面７００に医療材料、薬品、消耗品などの品目および当該品目の数量を入力して発注指示することによって、当該品目を所定の発注先へ発注するにあたり、手術術後患者の術式および経過日数を含む患者情報を取得して、患者情報ＤＢ４０２に記憶する患者情報取得部４０１と、患者情報取得部４０１によって取得され患者情報ＤＢ４０２に記憶された患者情報を読み出して、読み出された患者情報に基づいて、術式および経過日数に対応して手術術後患者に必要な品目および当該品目の数量に関する情報が登録された必要発注品目マスタ１３０を参照して、発注品目および当該発注品目の数量を特定する品目情報特定部４０３と、品目情報特定部４０３によって特定された発注品目および当該発注品目の数量に関する品目情報を発注品目情報ＤＢ４０５に記憶するとともに、当該発注品目および当該発注品目の数量を表示部４０６の発注画面に表示する品目情報登録部４０４と、品目情報登録部４０４によって発注画面に表示され発注品目情報ＤＢ４０５に記憶された品目情報に対する所定の発注先への発注指示を受け付ける発注指示受付部４０８と、発注指示受付部４０８５によって受け付けられた発注指示に応じて所定の発注先への発注処理を実行する発注処理実行部４０９と、を備えたため、術後経過日数ごとに一般的に必要となる品目の発注サポートをおこなうことができ、これによって、発注の過多・過少の防止と発注漏れを防止することができる。
【００５３】
なお、本実施の形態で説明した品目発注方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【００５４】
（付記１）表示手段を備え、当該表示手段に表示された発注画面に医療材料、薬品、消耗品などの品目および当該品目の数量を入力して発注指示することによって、当該品目を所定の発注先へ発注する品目発注装置に用いる品目発注プログラムであって、
手術術後患者の術式および経過日数を含む患者情報を取得して、所定の記憶領域に記憶する患者情報取得工程と、
前記患者情報取得工程によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定工程と、
前記特定工程によって特定された発注品目および当該発注品目の数量に関する品目情報を所定の記憶領域に記憶するとともに、当該発注品目および当該発注品目の数量を前記発注画面に表示する品目情報登録工程と、
前記品目情報登録工程によって前記発注画面に表示され前記所定の記憶領域に記憶された品目情報に対する前記所定の発注先への発注指示を受け付ける発注指示受付工程と、
前記発注指示受付工程によって受け付けられた発注指示に応じて前記所定の発注先への発注処理を実行する発注処理実行工程と、
を前記品目発注装置に実行させることを特徴とする品目発注プログラム。
【００５５】
（付記２）さらに、前記品目情報登録工程によって前記発注画面に表示され前記所定の記憶領域に記憶された品目情報の修正指示を受け付ける修正指示受付工程を実行させることを特徴とする付記１に記載の品目発注プログラム。
【００５６】
（付記３）前記品目情報登録工程は、当該発注品目および当該発注品目の数量を前記発注画面に表示する際、各品目を使用する患者に関する情報を表示することを特徴とする付記１または２に記載の品目発注プログラム。
【００５７】
（付記４）前記必要発注品目マスタは、手術術後患者の年齢、性別、病名、術式、経過日数ごとに発注する必要がある品目について登録されていることを特徴とする付記１〜３のいずれか一つに記載の品目発注プログラム。
【００５８】
（付記５）表示手段を備え、当該表示手段に表示された発注画面に医療材料、薬品、消耗品などの品目および当該品目の数量を入力して発注指示することによって、当該品目を所定の発注先へ発注する品目発注装置であって、
手術術後患者の術式および経過日数を含む患者情報を取得して、所定の記憶領域に記憶する患者情報取得手段と、
前記患者情報取得手段によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定手段と、
前記特定手段によって特定された発注品目および当該発注品目の数量に関する品目情報を所定の記憶領域に記憶するとともに、当該発注品目および当該発注品目の数量を前記発注画面に表示する品目情報登録手段と、
前記品目情報登録手段によって前記発注画面に表示され前記所定の記憶領域に記憶された品目情報に対する前記所定の発注先への発注指示を受け付ける発注指示受付手段と、
前記発注指示受付手段によって受け付けられた発注指示に応じて前記所定の発注先への発注処理を実行する発注処理実行手段と、
を備えたことを特徴とする品目発注装置。
【００５９】
（付記６）表示手段を備え、当該表示手段に表示された発注画面に医療材料、薬品、消耗品などの品目および当該品目の数量を入力して発注指示することによって、当該品目を所定の発注先へ発注する品目発注装置の品目発注方法であって、
手術術後患者の術式および経過日数を含む患者情報を取得して、所定の記憶領域に記憶する患者情報取得工程と、
前記患者情報取得工程によって取得され前記所定の記憶領域に記憶された患者情報を読み出して、読み出された患者情報に基づいて、所定の記憶領域に記憶された、術式および経過日数に対応して前記手術術後患者に必要な品目および当該品目の数量に関する情報が登録された必要発注品目マスタを参照して、発注品目および当該発注品目の数量を特定する特定工程と、
前記特定工程によって特定された発注品目および当該発注品目の数量に関する品目情報を所定の記憶領域に記憶するとともに、当該発注品目および当該発注品目の数量を前記発注画面に表示する品目情報登録工程と、
前記品目情報登録工程によって前記発注画面に表示され前記所定の記憶領域に記憶された品目情報に対する前記所定の発注先への発注指示を受け付ける発注指示受付工程と、
前記発注指示受付工程によって受け付けられた発注指示に応じて前記所定の発注先への発注処理を実行する発注処理実行工程と、
を含んだことを特徴とする品目発注方法。
【産業上の利用可能性】
【００６０】
以上のように、本発明にかかる品目発注プログラム、品目発注装置および品目発注方法は、複数の病棟を備え、多くの入院患者を抱えている大規模な病院において有用であり、特に、表示手段を備え、当該表示手段に表示された発注画面に医療材料、薬品、消耗品などの品目および当該品目の数量を入力して発注指示することによって、当該品目を所定の発注先へ発注するのに適している。
【図面の簡単な説明】
【００６１】
【図１】この発明の実施の形態にかかる品目発注装置を含む全体システム構成を示す説明図である。
【図２】この発明の実施の形態にかかる品目発注装置の外観を示す説明図である。
【図３】図１に示した必要発注品目マスタの内容を示す説明図である。
【図４】この発明の実施の形態にかかる品目発注装置の機能的構成を示す説明図である。
【図５】患者情報ＤＢの内容を示す説明図である。
【図６】品目発注の一連の処理手順の一例を示すフローチャートである。
【図７】発注画面の一例を示す説明図である。
【図８】発注画面を用いた品目発注の入力処理の手順の一例を示すフローチャートである。
【図９】術後患者情報取得（分析）処理の手順の一例を示すフローチャートである。
【図１０】マッチング処理の手順の一例を示すフローチャートである。
【図１１】術後患者必要品目リスト画面の一例を示す説明図である。
【図１２】患者別品目内訳リスト画面の一例を示す説明図である。
【図１３】発注画面の別の一例を示す説明図である。
【符号の説明】
【００６２】
１００（１００ａ，１００ｂ，１００ｃ）  病棟
１０１  品目発注装置
１１０  払出倉庫
１２０（１２０ａ，１２０ｂ）  業者
１３０  必要発注品目マスタ
１４０  ネットワーク
４０１  患者情報取得部
４０２  患者情報ＤＢ
４０３  品目情報特定部
４０４  品目情報登録部
４０５  発注品目情報ＤＢ
４０６  表示部
４０７  修正指示受付部
４０８  発注指示受付部
４０９  発注処理実行部
７００  発注画面
１１００  術後患者必要品目リスト
１２００  患者別品目内訳リスト
【図１】
2008152716.tif 000003
【図２】
2008152716.tif 000004
【図３】
2008152716.tif 000005
【図４】
2008152716.tif 000006
【図５】
2008152716.tif 000007
【図６】
2008152716.tif 000008
【図７】
2008152716.tif 000009
【図８】
2008152716.tif 000010
【図９】
2008152716.tif 000011
【図１０】
2008152716.tif 000012
【図１１】
2008152716.tif 000013
【図１２】
2008152716.tif 000014
【図１３】
2008152716.tif 000015